(57)【要約】【課題】断熱材を充填する際、下方に突出する折れ曲がりを阻止することができる通気層確保部材を提供する。【解決手段】垂木と接する２辺の各縁部１０ａに設けられる第１の凸部１１と、それら第１の凸部１１，１１の間に、仕切部３０と重なる領域を持つ、凸片２２を有する調整部２０とを設ける。【選択図】図４
0003138368.tif 000002
【実用新案登録請求の範囲】
【請求項１】
野地板と断熱材との間に通気層を確保するために用いられる部材であって、垂木の間に嵌め込む通気層確保部材において、
野地板と断熱材との間に空間を形成するための仕切部と、
前記仕切部の、前記垂木に接する両縁部に設けられ、山折されて山状に突出する第１の凸部と、
前記仕切部における、前記第１の凸部の間に設けられる、調整部と、を有し、
前記第１の凸部は、山折に折り返された一片が垂木に接する辺となるものであり、
前記調整部は、
各第１の凸部と並行し、前記野地板側に突出するよう山折される第２の凸部と、
前記第２の凸部の山折の稜線の延長線上で、かつ、第２の凸部が設けられていない部分に、基端側が連結された凸片と、を有し、
前記凸片は、基端側が、前記第２の凸部の一方の裾側において前記仕切部に連結され、先端側が、前記第２の凸部の他方の裾側において、前記仕切部の野地板対向面側に接触するものである
ことを特徴とする通気層確保部材。
【請求項２】
請求項１に記載の通気層確保部材において、
前記調整部は、間隔を空けて複数個の列状に配置された第２の凸部と、
前記第２の凸部間に配置される凸片と、を有する
ことを特徴とする通気層確保部材。
【請求項３】
請求項１または２に記載の通気層確保部材において、
前記調整部は、凸片を複数片有し、
前記凸片は、基端側から先端側の向きが交互になるよう設けられている
ことを特徴とする通気層確保部材。
【請求項４】
請求項１から３のいずれか１項に記載の通気層確保部材において、
前記第１の凸部は、前記垂木に接する２辺の各辺の縁部に設けられた山折用ミシン目において山折して形成され、
前記第２の凸部は、前記２辺に設けられる第１の凸部の間に少なくとも１条設けられた山折用ミシン目において山折して形成され、
前記凸片は、前記仕切部に設けられた切込みを前記仕切部と重ね合わせて形成される
ことを特徴とする通気層確保部材。
【請求項５】
野地板と断熱材との間に通気層を確保するための部材であって、垂木の間に嵌め込む通気層確保部材において、
野地板と断熱材との間に空間を形成するための仕切部と、
前記垂木に接する２辺の各辺の縁部に設けられ、山折されて山状に突出する第１の凸部を形成するための第１のミシン目と、
前記２辺に設けられる第１の凸部の間に、少なくとも１条設けられる、山折されて山状に突出する第２の凸部を形成するための第２のミシン目と、
前記仕切部に設けられ、前記仕切部と重ね合わされて凸片を形成するための切込みと、
を有する
ことを特徴とする通気層確保部材。
【請求項６】
請求項５に記載の通気層確保部材において、
前記第１の凸部は、前記第１のミシン目において山折に折り返された一片が垂木に接する辺となるものであり、
前記第２の凸部は、各第１の凸部と平行し、前記第２のミシン目において前記野地板側に突出するよう山折されるものであり、
前記凸片は、前記第２の凸部の山折の稜線の延長線上で、かつ、第２の凸部が設けられていない部分に、基端側が連結され、基端側が、前記第２の凸部の一方の裾側において前記仕切部に連結され、先端側が、前記第２の凸部の他方の裾側において、前記仕切部の野地板対向面側に接触するものである
ことを特徴とする通気層確保部材。
【請求項７】
請求項５または６に記載の通気層確保部材において、
前記第２のミシン目において山折にされて形成される第２の凸部は、間隔を空けて複数個の列状に配置され、
前記切込みを、前記仕切部と重ね合わされて形成される凸片は、前記第２の凸部間に配置される
ことを特徴とする通気層確保部材。
【請求項８】
請求項５から７のいずれか１項に記載の通気層確保部材において、
前記切込みは、複数個有し、
前記切込みを、前記仕切部と重ね合わされて形成される凸片は、基端側から先端側の向きが交互になるよう設けられている
ことを特徴とする通気層確保部材。
【考案の詳細な説明】
【産業上の利用分野】
【０００１】
本考案は、野地板と断熱材との間に通気層を確保するために用いられる通気層確保部材に関する。
【背景技術】
【０００２】
一般に、屋根に断熱材を施工する場合、断熱材の室内外側に通気層を設け、並行する垂木間に断熱材を充填することにより行う。野地板と断熱材との間に通気層を確保するための技術として、特許第３４００７６６号公報（特許文献１）に記載される屋根断熱施工方法がある。
【０００３】
この屋根断熱施工方法は、図１に示すように、上面に野地板４を張った垂木１，１間に断熱材６を充填する際に、垂木１，１間に室内側から通気層確保部材７を嵌め込み、野地板４と断熱材６との間に通気層５を確保する。その後、垂木１，１間に断熱材６を通気層確保部材７に当接するように室内側から充填する。
【０００４】
この通気層確保部材７は、例えば、段ボールのような通気性を有する板状部材により構成される。図２に示すように、板状部材は、予め所定の寸法に切断された板状部材として形成される。垂木間に取付け時に垂木に接する２辺に沿う縁部を山折りされて形成される凸部１１を有する。この凸部１１は、断面が、Ｖ字形状ないしＵ字形状に折り返されて、ばね性が発揮できる形態に構成される。
【０００５】
通気層確保部材７を垂木１，１間に室内側から嵌め込むだけで、この凸部１１により、容易に通気層５を確保することができる。凸部１１は、ばね性を有しており、ステープルなどの特別な固定手段を用いなくても、弾性力により自ら垂木に圧接して、落下することを防ぐ手助けとすることができる。さらに、垂木の間隔が若干相違した場合でも、折り返し部分の開き角度によって、寸法差異を吸収して、嵌め込むことができる。
【０００６】
また、実用新案登録第３１２７０４３号公報には、垂木の間隔の変動に対する調節幅を、特許文献１に比べて、さらに大きく設けた通気層確保部材について記載されている（図３）。その通気層確保部材１００は、垂木に接する２辺の各辺の縁部に設けられ、山折されて山状に突出する第１の凸部１１と、２辺に設けられる第１の凸部１１の間に少なくとも１条設けられる、山折されて山状に突出する第２の凸部１２と、を有している。第１の凸部１１は、山折に折り返された一片が垂木に接する辺となるものである。第１の凸部および第２の凸部１２は、いずれもばね性を有し、かつ、開き角度が変更可能である。これにより、垂木の間隔に合わせて、通気層確保部材の幅の調節を広い範囲で行うことができる。
【０００７】
【特許文献１】特許第３４００７６６号公報
【特許文献２】実用新案登録第３１２７０４３号公報
【考案の開示】
【考案が解決しようとする課題】
【０００８】
上述した通気層確保部材は、山折されて山状に突出する凸部が、ばね性を有する。そのため、凸部が拡がろうとする力によって、通気走確保部材が垂木に圧接し、ステープルなどの特別な固定手段を用いなくても、落下することを防ぐ手助けになっている。
【０００９】
しかし、実際の作業において、断熱材を充填するまでに、通気層確保部材の中央部分にある第２の凸部の裾の折れ線部が谷折りとなって、通気性確保部材に折れ曲がりが生じることがある。この第２の凸部の裾における谷折りによって折れ曲がると、下方には、上方に突出する場合に比べて野地板のような当接面が存在しないため、大きく折れ曲がってしまう。そのため、通気層確保部材の凸部のばね性による、垂木間での突っ張る力が失われて、落下に対して対抗し得る摩擦力を保持できなくなる。その結果、通気層確保部材は、落下してしまう。その為、断熱材を充填するまでの間は、作業員が通気層確保部材を支えておく必要があり、作業員の負担が増えるという問題がある。
【００１０】
本考案は、断熱材を充填する際、下方に突出する折れ曲がりを阻止することができる通気層確保部材を提供することを目的とする。
【課題を解決するための手段】
【００１１】
本考案は、野地板と断熱材との間に通気層を確保するために用いられる部材であって、垂木の間に嵌め込む通気層確保部材において、
野地板と断熱材との間に空間を形成するための仕切部と、
前記仕切部の、前記垂木に接する両縁部に設けられ、山折されて山状に突出する第１の凸部と、
前記仕切部における、前記第１の凸部の間に設けられる、調整部と、を有し、
前記第１の凸部は、山折に折り返された一片が垂木に接する辺となるものであり、
前記調整部は、
各第１の凸部と並行し、前記野地板側に突出するよう山折される第２の凸部と、
前記第２の凸部の山折の稜線の延長線上で、かつ、第２の凸部が設けられていない部分に、基端側が連結された凸片と、を有し、
前記凸片は、基端側が、前記第２の凸部の一方の裾側において前記仕切部に連結され、先端側が、前記第２の凸部の他方の裾側において、前記仕切部の野地板対向面側に接触するものである
ことを特徴とする。
【考案の効果】
【００１２】
本考案により、断熱材を充填する際、下方に突出する折れ曲がりを生じさせず、垂木間で突っ張る力を維持することができる通気層確保部材を提供することができる。
【考案を実施するための最良の形態】
【００１３】
以下に、本考案の実施形態について、図面に基づいて説明する。
【００１４】
本実施形態に係る通気層確保部材２００は、図１に示すように、野地板４と、断熱材６と、の間に通気層５を確保するために、垂木１、１間に嵌め込こまれる。その際、下方に突出する折れ曲がりを阻止する機構を備えている。
（通気層確保部材の構造）
通気層確保部材２００の斜視図と、断面図と、上面図と、をそれぞれ、図４、図５、図６に示す。また、図７に通気層確保部材２００の製造時の形態である板状部材２００ａを示す。
【００１５】
通気層確保部材２００は、例えば図７に示す板状部材２００ａを加工して形成される。具体的には、野地板と断熱材との間に空間を形成するための仕切部３０と、仕切部３０の、垂木１に接する両縁部に設けられ、山折されて山状に突出する第１の凸部１１（以下、単に凸部１１と称する）と、仕切部３０における、凸部１１の間に設けられる、調整部２０と、を有する。
【００１６】
調整部２０は、凸部１１，１１の間であって、凸部１１，１１と並行して設けられる。図４の例では、凸部１１，１１の間の中心に設けられている。
【００１７】
仕切部３０は、本実施形態では、後述する第２の凸部２１（以下、単に凸部２１と称する）により、第１の仕切部３０ａと第２の仕切部３０ｂとに二分されている。また、第１の仕切部３０ａと第２の仕切部３０ｂとは、凸部２１により連結されている。
【００１８】
凸部１１は、各縁部１０ａにおいて、図７に示す板状部材２００ａを、その断面がＶ字形状ないしＵ字形状に山折されて、ばね性が発揮できる形態に構成される。図４の例では、凸部１１は、Ｖ字形状に折り返される構造となっている。このような構成とすることにより、通気層確保部材２００を垂木１，１間に室内側から嵌め込むだけで、この凸部１１により、通気層５を確保することができる。凸部１１には、山折のための板状部材の折り返しによるばね性が付与される。これにより、垂木の間隔が若干相違した場合でも、山折り部分の開き角度によって、寸法差を吸収して、嵌め込むことができる。
【００１９】
調整部２０は、板状部材２００ａの幅（垂木と直交する方向の長さ）の中心Ｃ付近で、その断面がＶ字形状ないしＵ字形状に山折にされている構造である凸部２１と、基端側２２ｃが仕切部３０ａおよび仕切部３０ｂの一方に連結されている凸片２２と、を有する。本実施形態では、仕切部３０ａに基端側２２ｃが連結された凸片２２と、仕切部３０ｂに基端側２２ｃが連結されている凸片２２とが、設けられている。図４に示すように、２片の凸片２２は、逆方向を向いている。ただし、これに限定されるものではない。
【００２０】
また、通気層確保部材２００は、２辺の各縁部１０ａに設けた凸部１１の他に、それらの凸部１１、１１間に凸部２１を設けている。凸部２１は、図４の例では、Ｖ字形状に折り返される構造となっている。凸部２１は、間隔を空けて、複数箇所に列状に設けられる。本実施形態では、３箇所設けられている。
【００２１】
凸部２１をこのような構成とすることにより、凸部２１には、凸部１１と同様に、山折のための板状部材の折り返しによるばね性が付与される。凸部２１に付与されるばね性によって、凸部の開き角度が適宜変えられるため、板状部材２００ａの幅方向（垂木と直交する方向）の長さが調節されることとなる。また、断熱材装填時に、断熱材に押されても、この凸部２１が圧力を受けて耐え、スペーサとして機能するため、通気層確保部材２００が上方（野地板方向）に撓まないように機能する。その結果、通気層を形成すべき空間が潰されないようにすることができる。
【００２２】
凸片２２は、前述した列状に、間隔を空けて配置される凸部２１の間に設けられる。この凸片２２は、前述した凸部２１がＶ字形状に折り返されることに起因して、板状部材２００ａの幅（垂木間）方向の長さが短くなることに基づいて、仕切部３０との重なり部分２２ｂ（図４、図６の斜線部分参照）が形成される構造となっている。
【００２３】
その構造は次のような手順で形成される。
【００２４】
まず、板状部材２００ａの幅（垂木と直交する方向の長さ）の中心Ｃ付近において、凸部２１の間の板面に、Ｕ字形状の切りこみ２２ａを入れる（図７）。これにより、板状部材２００ａの切り込まれた部分は、一部（基端側２２ｃ）が板状部材２００ａと連結（この実施形態では一体に連結）された凸片２２が形成される。言い換えると、板状部材２００ａの一部分が切り起こし構造の凸片２２となったものである。このような構造であるため、単に、板状部材２００ａの一部を切り出せばよく、簡単に加工することができる。また、そのために別の部材により設ける必要がないため、低コストにより実現可能である。本実施形態では、図４に示すように、調整部２０において、３個の凸部２１と、２個の凸片２２と、が交互に設けられることになる。
【００２５】
次に、切込み２２ａから凸片２２を、上方側（野地板と対向する側）に抜き出す。このとき、凸片２２が基端側２２ｃにおいて折れないように注意して抜き出す。
【００２６】
そして、板状部材２００ａの凸部２１にあたる部分をＶ字形状ないしＵ字形状に山折りする。これにより、凸片２２の先端側２２ｄを、仕切部３０の上に重なるように位置させる。本実施形態では、凸部２１間に差し込む形態となる。このとき、山折り部分の開き角度によって、重なり部分２２ｂの面積が決まる。開き角度が小さいときは重なり部分２２ｂの面積は大きくなる。一方、山折り部分の開き角度が大きいときは、重なり部分２２ｂの面積は小さくなる。
（凸片の作用）
次に、凸片２２の作用について説明する。
【００２７】
通気層確保部材２００は、前述したように、凸部２１の裾の折れ線部が谷折りとなりやすい。そのため、通気層確保部材２００は、下方に突出するように折れ曲がって、それ自身を垂木間で突っ張って支持することができなくなる。これを防ぐため、本実施形態では、凸片２２を設けている。
【００２８】
凸片２２は、前述したように基端側２２ｃが板状部材２００ａと一体に連結されている。このため、凸片２２は、片持ち梁状に板状部材２００ａに支持される。
【００２９】
一方、凸部２１が山折の折り返しにより形成されると、切込み２２ａにより凸片２２が抜き出された後の孔２２ｅの垂木間方向の長さが短くなる。このため、抜き出された凸片２２は、抜き出された孔２２ｅを超えて、先端側２２ｄが元の孔２２ｅには落ち込まない。そして、図４から図６、図８（ｂ）に示すように、凸片２２は、先端側２２ｄと板状部材２００ａの仕切部３０と重なる重なり部分２２ｂを形成する。そのため、凸片２２により、凸部２１の裾の折れ線部の谷折りによる折れ曲がりを阻止する。具体的には、後述する凸部２１の裾のミシン目２１ａ、２１ｃにおける谷折りによる折れ曲がりを阻止する。
【００３０】
調整部２０における凸片２２は、２以上の箇所に設けることができる。本実施形態では、偶数箇所に設けている。偶数箇所設ける理由は、左右のバランスを保つためである。通気層確保部材２００の作製の手間を考慮すると、凸片２２は、２箇所程度がよい。また、凸片２２の形状は、Ｕ字の形状に限定されない。例えば、Ｖ字の形状、四角の形状とすることができる。つまり、仕切部３０との重なり部分２２ｂを形成できる構成であればよい。
【００３１】
以上述べた実施形態では、凸片２２を、間隔を空けて複数個列状に配置する例を示した。しかし、それに限られない。凸片２２は、凸部２１の山折の稜線の延長線上で、かつ、凸部２１が設けられていない部分に配置すればよい。例えば、通気層確保部材２００の両端側に凸片２２を設け、それらの間に凸部２１を配置する構成としてもよい。
【００３２】
以上のような構成とすることにより、通気層確保部材２００は、の凸部２１の裾の折れ線部の谷折りを防ぐことができ、断熱材６を充填するまでの通気層確保部材２００の落下を防ぐことができる。
【００３３】
よって、ステープルなどの特別な固定および作業員の支えがなくても、垂木１に圧接して、垂木１，１間に保持される。
（板状部材２００ａ）
通気層確保部材２００は、板状部材２００ａにより構成される。板状部材２００ａとしては、例えば、段ボールが挙げられる。段ボールを用いる場合、紙の質、紙の厚さや中芯の段数などは、特に限定されない。なお、材料を段ボールにすれば、断熱材中に湿気が侵入しても、段ボールを通して湿気が通気層に排出されるため、結露のおそれが少ない。板状部材２００ａの寸法は、例えば、図７に示すように、幅（垂木と直交する方向の長さ）Ｗが５８０ｍｍ、長さ（垂木と平行となる方向の長さ）Ｌが９１０ｍｍ、厚さＤが３．５ｍｍである。もちろん、幅Ｗ、長さＬおよび厚さＤの寸法は、これに限定されない。
【００３４】
同程度の剛性と通気性を有する材料であれば、特に限定されない。すなわち、以下に述べるような形状に加工可能であれば、段ボールに限られず、他の材料を使用することもできる。
（事前加工）
通気層確保部材２００は、例えば、図４に示すように、凸部１１および調整部２０を形成してから、出荷することが可能である。しかし、倉庫等での保管、現場への搬送等における取扱いの容易性を考慮すると、板状部材２００ａの形態で、すなわち、図７に示すように、折り曲げない形態として製造することも可能である。そこで、本考案では、他の実施形態として、凸部１１を形成するための山折加工、調整部２０の凸部２１を形成するための山折加工、凸片２２を形成するための差込加工を、現場において行うようにした形態を提供する。
【００３５】
この形態は、前述した図４に示す形態について言えば、山折加工および差込加工の前の形態ということもできる。そこで、以下の説明では、他の形態として、格別に区別せずに説明する。
【００３６】
本実施形態では、通気層確保部材２００について、凸部１１および調整部２０の加工作業を、現場において行うことを想定して、できる限り容易に加工できるようにしている。すなわち、山折を容易にするため、凸部１１および調整部２０の凸部２１を設ける位置を予め決めておき、その位置に、山折加工および差込加工を容易にする形態とする事前加工を施しておく。
【００３７】
まず、山折加工に対する事前加工として、例えば、山折の位置にミシン目等を設けることが挙げられる。この事前加工は、折り曲げなければ、板状部材としての剛性を保持し、折り曲げた後は、ばね性が付与されるような加工とする。従って、このような機能が実現できればミシン目に限られない。また、ミシン目の位置、数も、加工の容易性を考慮して適宜設定することができる。
【００３８】
また、本実施形態では、現場加工をより容易にするため、山折部分のみならず、山状に突出した部分と仕切部３０とのつなぎ部分にも事前加工を施している。すなわち、山折の頂部の山折用ミシン目と、つなぎ部分の谷折のミシン目とを設けている。
【００３９】
具体的には、図７に示すように、板状部材２００ａにおける凸部１１を設ける位置として、例えば、段ボールの長辺方向に沿って、それぞれの両端から距離Ｗ１：５０ｍｍと距離Ｗ２：８５ｍｍの位置に、事前加工として、２本のミシン目１１ａ，１１ｂを設ける。両端から１本目のミシン目１１ａの箇所を山折に適したミシン目とし、その内側、すなわち山の裾となる位置は、谷折に適したミシン目（例えば、裏面側にミシン目を入れる）１１ｂとする。
【００４０】
また、板状部材２００ａにおける凸部２１を設ける位置として、例えば、板状部材２００ａの幅の中心Ｃ付近に、調整部２０の凸部２１に対応するミシン目２１ａ，２１ｂ，２１ｃを設ける。これらのミシン目２１ａ，２１ｂ，２１ｃのうち、中央にあるミシン目２１ｂを山折に適したミシン目とし、板状部材２００ａの幅の中心Ｃに合わせて設ける。その両側の山の裾となる位置に間隔、例えば、Ｗ３：３５ｍｍで、谷折に適したミシン目２１ａ，２１ｃを入れる。ミシン目の方向は、本実施形態の場合、段ボールの中芯の方向と垂直になるようにする。もちろん、Ｗ１、Ｗ２、Ｗ３の寸法は、これに限定されない。
【００４１】
一方、差込加工に対する事前加工としては、例えば、調整部２０の凸片２２を容易に形成できるように、板状部材２００ａの中央部分に切込み２２ａを設ける。
（施工時）
次に、本考案に係る通気層確保部材２００を屋根断熱施工に適応した場合について、図８を参照して説明する。通気層確保部材２００を用いた屋根断熱施工は、おおよそ次の手順のように行う。
【００４２】
まず、所定の間隔で設けられた垂木１の上面に野地板４を張る。この後、垂木１、１間の中央付近に、通気層確保部材２００の調整部２０の凸部２１が配置する（図８（ａ））。このとき、通気層確保部材２００を、調整部２０の凸部２１が室外側（野地板４側）になるように、室内側から垂木１、１間に配置する。
【００４３】
次に、通気層確保部材２００の各縁部１０ａに位置する凸部１１を垂木１に圧接させる（図８（ｂ））。
【００４４】
そして、断熱材６を、垂木１の間に、通気層確保部材２００に当接するように室内側から装填する（図８（ｃ））。
【００４５】
断熱材を充填する直前の通気層確保部材２００の状態（図８（ｂ））は、仕切部３０と凸片２２とが重なりあう、重なり部分２２ｂを有する状態である。そのため、この重なり部分２２ｂで、ミシン目２１ａ、２１ｃでの谷折りによる折れ曲がりが阻止される。その結果、通気層確保部材２００は、凸部１１および調整部２０の凸部２１のばね性が働き、落下することがない。
【００４６】
よって、断熱材を充填するまでの間、通気層確保部材の特別な固定手段を必要としない。もちろん、ステープルや釘などで固定することも可能である。
【００４７】
最後に、本考案に係る通気層確保部材２００の仕切部３０に通気層側からアルミ箔１３を張ってもよい。アルミ箔１３を張った通気層確保部材（図示しない）は、室外からの太陽輻射を反射し、熱を断熱材６に伝えにくくする。そのため、遮熱効果をさらに上げることができる。
【図面の簡単な説明】
【００４８】
【図１】従来の通気層確保部材に用いて屋根断熱施工方法を施した屋根断熱構造の断面図である。
【図２】従来の通気層確保部材の斜視図である。
【図３】従来の通気層確保部材の斜視図である。
【図４】本考案に係る通気層確保部材の斜視図である。
【図５】本考案に係る通気層確保部材の断面図である。
【図６】本考案に係る通気層確保部材の上面図である。
【図７】本考案に係る通気層確保部材に用いる板状部材の上面図である。
【図８】本考案に係る通気層確保部材を用いて屋根断熱施工状態を示す屋根断熱構造の断面図である。
【符号の説明】
【００４９】
１：垂木、４：野地板、５：通気層、６：断熱材、７：通気層確保部材、８：中央部、１１：第１の凸部、１１ａ、１１ｂ：ミシン目、１０ａ：縁部、１３：アルミ箔、２００：通気層確保部材、２００ａ：板状部材、３０：仕切部、３０ａ：第１の仕切部、３０ｂ：第２の仕切部、２０：調整部、２１：第２の凸部、２２：凸片、２２ａ：切込み、２２ｂ：重なり部分、２２ｃ：基端側、２２ｄ：先端側、２２ｅ：孔、２１ａ、２１ｂ、２１ｃ：ミシン目、Ｃ：板状部材の中心
【図１】
0003138368.tif 000003
【図２】
0003138368.tif 000004
【図３】
0003138368.tif 000005
【図４】
0003138368.tif 000006
【図５】
0003138368.tif 000007
【図６】
0003138368.tif 000008
【図７】
0003138368.tif 000009
【図８】
0003138368.tif 000010